【事件の表示】
　平成　７年特許願第１７０９８２号「ＡＣ型ガス放電パネル、およびそれに用いる電極基板と電極基板の製造方法」拒絶査定不服審判事件〔平成　９年　１月２１日出願公開、特開平　９−　２２６５６〕について、次のとおり審決する。
【結　論】
　本件審判の請求は、成り立たない。
【理　由】
第１　手続の経緯
　本願は、平成７年７月６日の出願であって、平成１６年１月３０日付け（発送日：同年２月３日）で拒絶査定がなされ、これに対して、同年３月４日に拒絶査定不服審判請求がなされたものである。
　
第２　本願発明
　本願の請求項１ないし３に係る発明は、平成１５年９月２９日付けの手続補正書により補正された明細書及び図面の記載からみて、その特許請求の範囲の請求項１ないし３に記載された事項により特定されるとおりのものであると認められるところ、本願の請求項１に係る発明（以下、「本願発明」という。）は次のとおりのものと認める。
　
　「【請求項１】フロート板ガラスのトップ面に、Ｃｕを含む金属からなるバス電極が付設された透明電極を複数平行して配設すると共に、これらの電極を低融点ガラスからなる誘電体層により被覆してなることを特徴とするＡＣ型ガス放電パネルの電極基板。」
　
第３　引用例
１　引用例１
　原査定の拒絶の理由に引用された本願の出願前に頒布された刊行物である特開平７−３７５１０号公報（以下「引用例１」という。）には、図面とともに、次の事項が記載されている。
　
（１）「【００１４】図１において、ＰＤＰ１は、３電極構造の面放電型ＰＤＰであり、表示面Ｈ側のガラス基板１１、表示のライン方向に延びた一対の表示電極Ｘ，Ｙからなる電極対１２、ＡＣ駆動のための誘電体層１７、・・・などから構成されている。」
　
（２）「【００１５】・・・誘電体層１７及び隔壁２９は、それぞれスクリーン印刷法による低融点ガラスペーストの印刷とその後の焼成とによって形成されている。」
　
（３）「【００１６】表示電極Ｘ，Ｙは、・・・帯状の透明導電体４１と、・・・金属層４２とから構成されている。・・・金属層４２は例えばクロム−銅−クロムの三層構造の薄膜からなる。」
　
（４）図面の図１には、ガラス基板１１の一方の面に、金属層４２が積層された透明導電体４１を複数平行して配設すると共に、これら金属層４２及び透明導電体４１を誘電体層１７で被覆した表示面Ｈ側の電極基板が描かれている。
　
　上記摘記事項（１）ないし（４）から、引用例１には、次の発明（以下、「引用発明１」という。）が記載されているものと認められる。
　
　「ガラス基板１１の一方の面に、クロム−銅−クロムの三層構造の薄膜からなる金属層４２が積層された透明導電体４１を複数平行して配設すると共に、これら金属層４２及び透明導電体４１を低融点ガラスからなる誘電体層１７により被覆してなる３電極構造の面放電型ＰＤＰの電極基板。」
　
２　引用例２
　同じく、原査定の拒絶の理由に引用された、本願の出願前に頒布された刊行物である特開平５−８９７７２号公報（以下「引用例２」という。）には、図面とともに次の事項が記載されている。
　
（１）「【０００１】【産業上の利用分野】本発明は、ガス放電を利用して文字や図形等を表示するガス放電型表示パネルの製造方法に関するものである。」
　
（２）「【０００５】【課題を解決するための手段】上記目的を達成するために本発明のガス放電型表示パネルの製造方法は、パネルの前面板を形成するガラス基板の内面にスズ層を形成し、さらに前記スズ層上に銀および銅のうちのいずれかの金属を含有する電極を形成し、しかる後、前記スズ層および前記電極を加熱処理することにより、前記ガラス基板を着色するものである。」
　
（３）「【０００８】【実施例】以下、本発明の一実施例についてＤＣ駆動型プラズマディスプレイの製造方法を例にとって図面を用いて説明する。」
　
（４）「【００１０】まず、前面板を形成するガラス基板１として、フロート方式で製造されたソーダ石灰ガラス板を用いる。フロート方式で製造されたガラス板の表面には、フロートバスの溶融金属であるスズ（Ｓｎ）２がガラス板の表面に付着またはガラス板内に溶融して、スズ層（以下、Ｓｎ層という）３が形成されている。フロート方式で製造されたガラス板は、溶融金属に面する下面と溶融金属の蒸気に面する上面とがあり、いずれの面にもＳｎ層を有しており、電極を形成する面は上面または下面のどちらの面としてもよい。」
　
（５）「【００１２】前記加熱処理工程中においては印刷用ペーストに含有されているＡｇがイオン化してＳｎ層３中に拡散する。一方、ガラス基板１のＳｎ層３に含有されているＳｎもイオン化し、ＡｇイオンとＳｎイオンとが熱的還元反応することにより、ガラス基板１のＳｎ層３中に着色層５が形成される。すなわち、ガラスの溶融温度よりも低い特定の温度域で、Ａｇイオンが還元される（（１）式）。
【００１３】
２Ａｇ＋＋Ｓｎ２＋→２Ａｇ０＋Ｓｎ４＋　（１）
還元されたＡｇ原子は、凝縮して結晶核をつくり、さらに結晶核は成長してＡｇコロイドをつくり、発色するに至る。」
　
（６）「【００１９】上記実施例では、ガラス基板のＳｎ層上に形成する電極にＡｇを含有させたものを用いた場合について説明したが、この代わりに銅（Ｃｕ）を含有させたものを用いてもよい。この場合の熱的還元反応は、（２）式で表される。
【００２０】
２Ｃｕ＋＋Ｓｎ２＋→２Ｃｕ０＋Ｓｎ４＋　（２）」
　
（７）「【００２３】・・・なお、本発明は、陰極、陽極の区別をしないＡＣ駆動型のガス放電型表示パネルにおいても実施することができることはもちろんである。」
　
　引用例２の上記摘記事項（４）の「電極を形成する面は上面または下面のどちらの面としてもよい。」との記載によると、引用例２には、電極をフロート方式で製造されたガラス板の上面に形成したものと、電極を同ガラス板の下面に形成したものの双方が記載されているというべきであるから、電極をフロート方式で製造されたガラス板の上面に形成したものが読み取れる。
　したがって、上記摘記事項（１）ないし（７）から、引用例２には、次の発明（以下、「引用発明２」という。）が記載されているものと認められる。
　
　「フロート方式で製造されたガラス板の、溶融金属の蒸気に面する上面に銅を含有した電極を形成したガス放電型表示パネルの電極基板。」
　
第４　対比
　本願発明と引用発明１を対比する。
　引用発明１の「クロム−銅−クロムの三層構造の薄膜からなる金属層４２」、「積層された」、「透明導電体４１」、「低融点ガラスからなる誘電体層１７」、「３電極構造の面放電型ＰＤＰの電極基板」は、それぞれ本願発明における「Ｃｕを含む金属からなるバス電極」、「付設された」、「透明電極」、「低融点ガラスからなる誘電体層」、「ＡＣ型ガス放電パネルの電極基板」に相当する。
　また、引用発明１の「ガラス基板１１の一方の面」と、本願発明の「フロート板ガラスのトップ面」は、共に「板ガラスの一方の面」である点で共通する。
　
　したがって、両者は、
　「板ガラスの一方の面に、Ｃｕを含む金属からなるバス電極が付設された透明電極を複数平行して配設すると共に、これらの電極を低融点ガラスからなる誘電体層により被覆してなることを特徴とするＡＣ型ガス放電パネルの電極基板」
　である点で一致し、次の点で相違する。
　
＜相違点＞
　本願発明では、板ガラスとして「フロート板ガラス」を使用し、フロート板ガラスの「トップ面」に透明電極を配設するのに対し、引用発明１では、ガラス基板１１がどのようなガラスであって、ガラスの何れの面に透明電極を配設するのかが不明である点。
　
第５　判断
　上記相違点について検討する。
　引用例２には、上記引用発明２が記載されており、引用発明２の「フロート方式で製造されたガラス板」及び「溶融金属の蒸気に面する上面」が、それぞれ本願発明の「フロート板ガラス」及び「トップ面」に相当する。
　そして、引用例２には、実施例として「ＤＣ駆動型プラズマディスプレイ」が記載されている（上記摘記事項（３）参照。）ものの、「中尾泰昌、ディスプレイ用基板ガラス、エレクトロニクス・セラミクス、学献社、１９９３年、２４巻１２２号（'93　５月号）、Ｐ．１２−１７」の第１４ページ左欄１１行−１４行に、「ＰＤＰの構造例を図３に示すが，ＰＤＰでは印刷，焼成により基板ガラス表面に隔壁や電極，蛍光体を形成する．現状では，フロート成形されたソーダライム基板が使用されている」と記載されると共に、同ページの図３に、ＡＣ型面放電方式のプラズマディスプレイが示され、また、同文献の第１６ページ左欄１６−２８行に「旭硝子では，基板用ガラスとしてＡＳ（ソーダライムガラス），・・・を商品化している．・・・旭硝子では，フロート法に対する高い技術的ポテンシャルを背景に，ＡＱを除き，ＡＳ，・・・のガラスをすべてフロート法にて製造している．」との記載からみて、ＡＣ型ガス放電パネルのガラス基板として、フロート板ガラスを用いることが従来周知であり、さらに、引用例２の段落【００２３】に、「ＡＣ駆動型のガス放電型表示パネルにおいても実施することができることはもちろんである」とも記載されている（上記摘記事項（６）参照。）のであるから、引用発明２を引用発明１に適用することに格別の困難はない。
　そうすると、引用発明１の「ガラス基板１１」の「一方の面」に代えて、引用発明２の「フロート方式で製造されたガラス板」の「溶融金属の蒸気に面する上面」を採用して、本願発明のごとく構成することは、当業者が容易になし得たものである。
　
　そして、本願発明の奏する効果も、引用例１及び引用例２に記載の発明、並びに周知事項に基づいて当業者が予測可能な範囲内のものである。
　したがって、本願発明は、引用発明１及び引用発明２並びに周知事項に基づいて当業者が容易に発明をすることができたものである。
　
　なお、請求人は、平成１６年６月１０日付けの手続補正により補正された審判請求書の請求の理由において、「係る誘電体層の着色問題を解決した本願請求項１の発明の表示面側電極基板は、特にカラー表示させるＡＣ型ガス放電パネル（請求項３の発明）への適用において、着色に起因する表示色のずれやくすみをなくすとともに、輝度の低下を低減するなど表示品質改善に顕著な効果を奏するものである。」及び「これらの引用文献１（当審注：本審決の「引用例２」に相当する。）と引用文献３（当審注：本審決の「引用例１」に相当する。）を組合わせても、引用文献１には、表示面側のガラス基板が当該ガラス基板に配設される金属含有の電極によって着色されるのを防止する構成が記載されていないのであるから、引用文献１を引用文献３に適用しても、表示面側のガラス基板に配設した表示電極を構成する金属層による該表示電極の着色を防止する本願請求項１に係る発明の構成に想到することは容易ではない。」と主張しているので、この主張について検討する。
　本願の請求項１に係る発明の構成が容易に想到できたことは、上記で検討したとおりであり、「着色を防止する」という本願発明の効果についての主張に対して、以下に検討する。
（ａ）引用例２には、電極材料からのＡｇイオン又はＣｕイオンとガラス基板１のＳｎ層３からのＳｎイオンとが熱的還元反応することにより着色が生じることが記載されている（上記摘記事項（２），（５），（６）参照。）。
（ｂ）特開昭５８−１８６１０４号公報には、「銀を伝導性材料として用いるときは，導体をガラスの”スズ側”，即ちフロート法でスズに接触していたガラス面上に印刷したときたとえ着色剤を加えなくても，ガラス−導体の境界面に自然な暗褐色が現れる。しかしながら，導体をガラスの”空気側”，即ち大気に曝されていた面上に印刷したときは，このような着色の発生は起らない。”空気”と”スズ”側の間のこの差異は確かには判らないが，境界面の銀がフロート法から残留したスズの微量と反応することによつて不溶解化するためと考えられている。」（第２ページ右下欄４−１４行）と記載されている。
（ｃ）特開平１−２８０５９５号公報には、「本発明のガラス製定規の製造に際しては、フロート法によって得られた板ガラスを用いて・・・非スズ面（トップ面）とは反対のスズ面（ボトム面）に金属イオンを含む無機質インク、例えば銅塩又は銀塩或いはこれら混合物を主体とした無機質インクをスクリーン印刷で塗布した基準線及び目盛を形成したのち、焼成工程で加熱するとガラスが軟化してガラス中のアルカリイオンとインクの銅，銀イオンとが置換されて着色されると同時にガラス中に浸透し」（第２ページ左下欄３−１３行）と記載されている。
（ｄ）特開平５−２９０６２３号公報には、「【０００５】・・・フロートガラス法では少量のスズが浴からガラスの中へ拡散する。これはガラスの表面上に可視の像を残さない。しかしながら、スズの拡散は銀および銅のような金属の着色を伴うガラスの異なる化学相互作用を生じ、そしてガラスの表面はより硬くなる。【０００６】銀を導電性物質として用いた場合、導電体がガラスの“スズ側”すなわちフロート法中のスズの次に行うガラスの側に印刷された時に、着色剤を添加することなしに、ガラス−導電体界面で、天然の暗い褐色が生じる。」と記載されている。
　上記（ｂ）−（ｄ）の記載によると、「ボトム面」における金属または金属イオンの反応により着色が生じることが従来周知であって、「トップ面」では、このような反応による着色が起こりにくいと解されるから、引用例２における上記（ａ）の反応による着色も、当然「トップ面」では起こりにくいものである。そうすると、「着色を防止する」という本願発明の効果も、上記引用例２の記載及びこれら周知事項に基づき当業者が予測できるものであるから、請求人の上記主張は採用できない。
　
第６　むすび
　以上のとおりであるから、本願の請求項１に係る発明は、特許法第２９条第２項の規定により特許を受けることができない。
　そして、請求項１に係る発明が特許を受けることができないものであるから、その余の請求項について論及するまでもなく、本願は、拒絶すべきものである。
　よって、結論のとおり審決する。